(57)【要約】【課題】対象者に対面した時点で当該対象者に係るタスクを即座に把握することが、煩雑なデータ加工等の作業を行わなくても実現することのできるタスク管理装置の提供。【解決手段】対象者と当該対象者に係るタスクとを対応付けて記憶可能なタスク記憶手段（４５）と、タスクを抽出するためのキーワードとそのタスクに係る対象者を抽出するためのキーワードとに基づき、入力された音声からタスク及び対象者を抽出してタスク記憶手段に記憶させるタスク取得手段（１０〜１４）と、対象者を特定するための特定用画像に係るデータを記憶した特定用データ記憶手段（２３）と、カメラから出力される画像データに対応する撮影画像に特定用画像が含まれるか否かを判断する判断手段（２２）と、前記特定用画像が含まれる場合、その特定用画像に対応する対象者に対応付けてタスク記憶手段に記憶されたタスクを読み出すタスク読み出し手段（２４）と、を備える。【選択図】図１
2016206841.tif 000002
【特許請求の範囲】
【請求項１】
対象者と当該対象者に係るタスクとを対応付けて記憶可能なタスク記憶手段と、
タスクを抽出するためのキーワードとそのタスクに係る対象者を抽出するためのキーワードとに基づき、入力された音声からタスクとそのタスクに係る対象者とを抽出し、両者を対応付けて前記タスク記憶手段に記憶させるタスク取得手段と、
前記対象者を特定するための特定用画像に係るデータを記憶する特定用データ記憶手段と、
カメラから出力される画像データに対応する撮影画像に前記特定用画像が含まれるか否かを、前記特定用データ記憶手段に記憶されたデータに基づいて判断する判断手段と、
前記判断手段が、前記特定用画像が含まれると判断した場合、その特定用画像に対応する対象者に対応付けて前記タスク記憶手段に記憶されたタスクを読み出すタスク読み出し手段と、
を備えたことを特徴とするタスク管理装置。
【請求項２】
前記タスク取得手段は、
前記入力された音声を文書データに変換する文書化手段と、
前記文書化手段による変換後の文書データから前記各キーワードを抽出するキーワード抽出手段と、
前記キーワード抽出手段によるキーワード抽出結果に基づき、前記文書データからタスク及びそのタスクに係る対象者を抽出するタスク抽出手段と、
を備えたことを特徴とする請求項１に記載のタスク管理装置。
【請求項３】
前記タスク取得手段は、
前記入力された音声と予め対象者毎に記憶された声紋とを比較して、当該音声の発言者を特定する発言者特定手段を、
更に備え、
前記タスク抽出手段は、前記発言者特定手段によって特定された発言者も参照して前記タスク及びそのタスクに係る対象者を抽出することを特徴とする請求項２に記載のタスク管理装置。
【請求項４】
前記撮影画像を表示し、かつ、前記撮影画像に前記特定用画像が含まれる場合、その特定用画像に対応する対象者に対応して前記タスク読み出し手段が読み出したタスクを、前記対象者を表す前記撮影画像に文書として重ねて表示するタスク表示手段を、
更に備えたことを特徴とする請求項１〜３のいずれか１項に記載のタスク管理装置。
【請求項５】
前記タスク表示手段は、前記対象者を表す撮影画像に、前記タスクをポップアップ画面として重ねて表示することを特徴とする請求項４に記載のタスク管理装置。
【請求項６】
前記タスク記憶手段には、前記タスクが当該タスクの属性と対応付けて記憶され、
前記ポップアップ画面の表示態様が当該ポップアップ画面として表示されたタスクの属性に応じて異なることを特徴とする請求項５に記載のタスク管理装置。
【請求項７】
前記タスク記憶手段には、前記タスクが当該タスクの期限と対応付けて記憶され、
前記ポップアップ画面の表示態様が当該ポップアップ画面として表示されたタスクの期限に応じて異なることを特徴とする請求項５又は６に記載のタスク管理装置。
【請求項８】
前記ポップアップ画面として表示されたタスクに対する操作を指示する身体部位の画像として予め記憶された指示画像が、前記撮影画像に含まれる場合、その指示画像に応じた前記操作を実行するタスク操作手段を、
更に備えたことを特徴とする請求項５〜７のいずれか１項に記載のタスク管理装置。
【請求項９】
互いに通信可能に構成された携帯端末とサーバとを備え、
前記携帯端末は、前記カメラと、前記タスク取得手段と、前記タスク読み出し手段と、を備え、
前記サーバは、前記タスク記憶手段を備えたことを特徴とする請求項１〜８のいずれか１項に記載のタスク管理装置。
【発明の詳細な説明】
【技術分野】
【０００１】
本発明は、対象者に対して、当該対象者に対応付けて記憶されたタスクを読み出し可能なタスク管理装置に関する。
【背景技術】
【０００２】
従来、会議の参加者毎に設けられた各音声入力装置に入力された各参加者の発言を、それぞれ文書データ化し、各文書データを時系列に沿って発言者毎（すなわち音声入力装置のチャンネル毎）に配置する装置が提案されている（例えば、特許文献１参照）。
【先行技術文献】
【特許文献】
【０００３】
【特許文献１】特開２０１３−７３３２３号公報
【発明の概要】
【発明が解決しようとする課題】
【０００４】
特許文献１に記載の装置によって作成されたデータを、パーソナルコンピュータ（以下、パソコンという）でキーワード検索すれば、各参加者に係るタスクを把握することができる。ところが、会社の同僚等に係るタスクがどのようなタスクであるかは、いちいちパソコンによる検索等を行わなくても、対面した時点で即座に把握できるのが望ましい。また、特許文献１に記載の装置によって作成されたデータを、予め手作業によって大幅に加工しておけば、対象者に係るタスクを即座に読み出すことが可能となるかも知れないが、そのような加工には煩雑な作業が必要となる。
【０００５】
そこで、本発明は、対象者に対面した時点で当該対象者に係るタスクを即座に把握することが、煩雑なデータ加工等の作業を行わなくても実現することのできるタスク管理装置の提供を目的としてなされた。
【課題を解決するための手段】
【０００６】
本発明は、タスク記憶手段と、タスク取得手段と、特定用データ記憶と、判断手段と、タスク読み出し手段とを備える。タスク記憶手段は、対象者と当該対象者に係るタスクとを対応付けて記憶可能である。タスク取得手段は、タスクを抽出するためのキーワードとそのタスクに係る対象者を抽出するためのキーワードとに基づき、入力された音声からタスクとそのタスクに係る対象者とを抽出し、両者を対応付けて前記タスク記憶手段に記憶させる。このため、対象者とその対象者に係るタスクとは、自動的に対応付けられてタスク記憶手段に記憶される。
【０００７】
特定用データ記憶手段は、前記対象者を特定するための特定用画像に係るデータを記憶している。判断手段は、カメラから出力される画像データに対応する撮影画像に前記特定用画像が含まれるか否かを、前記特定用データ記憶手段に記憶されたデータに基づいて判断する。そして判断手段が、前記特定用画像が含まれると判断した場合、タスク読み出し手段は、その特定用画像に対応する対象者に対応付けて前記タスク記憶手段に記憶されたタスクを読み出す。このため、対象者に対面した時点で、その対象者にカメラを向ければ、当該対象者に係るタスクを即座に把握することができる。しかも、タスク記憶手段に対してタスクを記憶させる処理は自動的になされるので、そのような把握を可能とするために煩雑なデータ作業を行う必要もない。
【図面の簡単な説明】
【０００８】
【図１】本発明が適用されたタスク管理装置の構成を表すブロック図である。
【図２】そのタスク管理装置の第１制御部による処理を表すフローチャートである。
【図３】前記タスク管理装置の第２制御部による処理を表すフローチャートである。
【図４】前記タスク管理装置の情報表示部による登録処理を表すフローチャートである。
【図５】その情報表示部によるタスク表示処理を表すフローチャートである。
【図６】そのタスク表示処理における機能開発タスク表示処理を詳細に表すフローチャートである。
【図７】前記タスク表示処理におけるバグ対応タスク表示処理を詳細に表すフローチャートである。
【図８】前記タスク表示処理におけるサポートタスク表示処理を詳細に表すフローチャートである。
【図９】前記タスク表示処理による表示例を表す説明図である。
【図１０】その表示例の一部を詳細に表す説明図である。
【図１１】前記タスク表示処理におけるアクション実行処理を詳細に表すフローチャートである。
【発明を実施するための形態】
【０００９】
以下、本発明が適用された実施形態について、図面を用いて説明する。
［１．第１実施形態］
［１−１．構成］
図１に示すタスク管理装置は、互いに通信可能に構成された情報端末機器１とタスク情報管理サーバ４０とを備えたタスク管理システムとして構成されている。なお、１つのタスク情報管理サーバ４０に対して、複数の情報端末機器１が備えられてもよい。また、情報端末機器１は、以下に説明するように、スマートフォンに適宜のソフトウェア（いわゆるアプリ）をダウンロードすることによっても構成可能である。
【００１０】
情報端末機器１は、音声に係る処理系統として、音声録音部１０と、音声データ記憶部１１と、第１制御部１２と、文書データ保存部１３と、第２制御部１４とを備える。音声録音部１０は、当該情報端末機器１の外部から入力される音声を録音し、音声データとして、音声メモリとしての音声データ記憶部１１に記憶させる。なお、音声録音部１０には、図１に音声入力Ａ，音声入力Ｂ，音声入力Ｃとして例示するように、複数の発言者の音声が入力されて録音される。第１制御部１２は、音声データ記憶部１１に記憶された音声データを読み出し、その音声データを文書化して文書データ１８を作成し、文書メモリとしての文書データ保存部１３に保存する。第２制御部１４は、文書データ保存部１３に保存された文書データ１８を読み出し、その文書データ１８に対してキーワード抽出を行うことによってタスク情報１９を抽出する。
【００１１】
情報端末機器１は、前記音声に係る処理系統の他に、情報表示部２０と通信部３０とを備える。情報表示部２０は、カメラ２１と、顔認識機能部２２と、データ保存部２３と、タスク表示部２４と、タッチパネル２５と、形状認識機能部２７と、タスク情報干渉機能部２８とを備える。なお、顔認識機能部２２及びタスク表示部２４及び形状認識機能部２７及びタスク情報干渉機能部２８は、１つのマイクロコンピュータにおいてソフトウェア上で区分けされてもよく、異なるマイクロコンピュータによってそれぞれ構成されてもよい。カメラ２１は、撮影した映像に対応した画像データを出力する。データ保存部２３は、通信部３０を介して送受信されるデータ等、各種データを記憶可能なメモリである。タッチパネル２５は、カラー液晶等を用いたディスプレイを備えた周知のものである。
【００１２】
顔認識機能部２２は、カメラ２１から出力される画像データから顔画像を抽出し、その顔画像に対応する人物を判別してデータ保存部２３へ送る。タスク表示部２４はタッチパ
ネル２５に、カメラ２１が撮影した映像を表示する。また、タスク表示部２４は、顔認識機能部２２によって判別された人物に対応するタスク情報１９が存在する場合に、そのタスク情報１９をタスク情報管理サーバ４０から取得し、カメラ２１が撮影した当該人物の画像９０に重ねて表示（表示方法の詳細は後述）する。
【００１３】
形状認識機能部２７は、カメラ２１から出力される画像データからカメラ２１に撮影された物体の形状を判別し、その判別結果をタスク情報干渉機能部２８へ送る。タスク情報干渉機能部２８は、形状認識機能部２７が判別した物体形状が予め登録（すなわち記憶）された所定の指の形状（指示画像の一例）である場合に、タッチパネル２５に表示されているタスク情報１９に対して消去等の干渉を行う。
【００１４】
通信部３０は、タスク情報管理サーバ４０と通信を行うものである。通信部３０は、例えば、第２制御部１４によって抽出されたタスク情報１９をタスク情報管理サーバ４０へ送信する。また、通信部３０は、例えば、タスク情報管理サーバ４０から読み出されたタスク情報１９をデータ保存部２３へ送信する。また、通信部３０は、顔認識機能部２２による人物の判別結果を、タスク情報管理サーバ４０へ送信する。
【００１５】
タスク情報管理サーバ４０は、通信部４１と、タスク管理処理装置４３と、タスク保存部４５とを備えている。通信部４１は、通信部３０との間で前述のタスク情報１９等の送受信を行う。タスク保存部４５は、そのタスク情報１９を保存（すなわち記憶）するメモリである。タスク管理処理装置４３は、マイクロコンピュータ等によって構成され、通信部４１による通信と、タスク保存部４５に対するタスクの登録（以下、保存ともいう。：すなわち、記憶させること）及び読み出しを制御する。
【００１６】
［１−２．処理］
［１−２−１．音声に係る処理］
次に、情報端末機器１において実行される処理について説明する。情報端末機器１において所定のパネル操作がなされると、第１制御部１２は、図２のフローチャートに示す処理（以下、文書化処理ともいう）を実行する。
【００１７】
この処理では、先ず、Ｓ１（Ｓはステップを表す：以下同様）にて、会議参加者（対象者の一例）の音声が録音され、続くＳ２にて、録音された音声から当該参加者の声紋が登録される。なお、Ｓ１の処理の形態には種々の形態が考えられるが、例えば、Ｓ１では、情報端末機器１におけるパネル操作によって録音開始が指示されてから録音停止が指示されるまでの間の音声が、１人の参加者の音声として録音されてもよい。また、Ｓ２では、当該参加者の声紋が、パネル操作によってテキスト入力された当該参加者の氏名，所属等と対応付けて登録されてもよい。また、Ｓ１では、一定時間（例えば２秒）以上の無音期間を開けて録音された音声は異なる参加者の音声として処理されてもよい。その場合、Ｓ２では、各参加者毎にテキスト入力された氏名等が各声紋に対応付けられて登録されてもよい。
【００１８】
Ｓ２に続くＳ３では、会議等での音声（すなわち発言）が録音される。この録音も、情報端末機器１におけるパネル操作によって録音開始が指示されてから録音停止が指示されるまでなされてもよい。また、このＳ３の処理は、後述のように、この文書化処理の実行中に繰り返し実行されるので、録音停止が指示されなくても一定時間（例えば２秒）以上の無音期間があれば次のＳ４へ処理が移行してもよい。
【００１９】
Ｓ３に続くＳ４では、Ｓ３にて録音された音声が、Ｓ２にて登録された声紋と照合される。続くＳ５では、Ｓ４による照合に基づき、Ｓ３にて録音された発言の声紋と一致する声紋を登録された人物が存在するか否かが判断される。そのような人物が存在する場合は
（Ｓ５：Ｙ）、Ｓ６にて当該音声の発言者がその人物に特定された後、処理はＳ７へ移行する。一方、そのような人物が存在しない場合は（Ｓ５：Ｎ）、Ｓ８にて当該音声の発言者が不特定に設定された後、処理はＳ７へ移行する。
【００２０】
Ｓ７では、Ｓ３にて録音された音声が文書化（すなわち文書データ１８に変換）される。続くＳ９では、文書化されたデータが発言者の情報と対応付けて文書データ保存部１３に保存されて、処理は前述のＳ３へ移行する。なお、Ｓ９において、前記文書化されたデータは、録音日時を表す日時情報とも対応付けて文書データ保存部１３に保存されてもよい。また、情報端末機器１がＧＰＳ等の位置検出手段を備えている場合、Ｓ９において、前記文書化されたデータは、録音場所を表す場所情報とも対応付けて文書データ保存部１３に保存されてもよい。第１制御部１２による以上の処理により、会議等における音声が文書データ１８として文書データ保存部１３に保存される。
【００２１】
第１制御部１２による前記処理に連動して、第２制御部１４は、図３のフローチャートに示す処理を実行する。この処理では、先ず、Ｓ１１にて、文書化して文書データ保存部１３に保存されている文書データ１８から、キーワードが抽出される。このキーワードとしては、例えば、特開２０１４−１３５５４３号公報等に記載の周知のキーワードを用いることができる。また、本実施形態では、タスクの種類が機能開発であることを示唆するキーワードとして、例えば「開発」，「プロジェクト」等のキーワードが抽出される。本実施形態では、タスクの種類がバグ対応であることを示唆するキーワードとして、例えば「バグ」，「苦情」等のキーワードが抽出される。本実施形態では、タスクの種類がサポートであることを示唆するキーワードとして、例えば「サポート」，「支援」等のキーワードが抽出される。
【００２２】
Ｓ１１に続くＳ１３では、Ｓ１１によるキーワード抽出結果に応じて、文書データ保存部１３に保存されている各発言の文書データ１８に対し、その発言の発言者，タスクの内容，タスクの期限，当該タスクを処置するタスク処置者等の内容が抽出される。この情報は、例えば通信部３０の一時メモリに、タスク情報１９として保存される。
【００２３】
例えば、ある発言の文書データ１８が「○○さん××までに△△して下さい。」という内容であった場合、次のようなタスク内容の情報と期限の情報とタスク処置者の情報とが抽出され、互いに対応付けてタスク情報１９として保存される。すなわち、「さん」というキーワードに基づき「○○」がタスク処置者として、「までに」というキーワードに基づき「××」が期限として、「して下さい」というキーワードに基づき「△△」がタスクの内容として、それぞれ抽出され、タスク情報１９として保存される。そして、タスクの内容として抽出された文書データ１８の中に、更に、前述のキーワード「開発」が含まれる場合、そのタスクの種類が機能開発とされる。他のキーワード及びタスクの種類に対しても同様の処理がなされる。
【００２４】
続くＳ１５では、タスク情報管理サーバ４０の通信部４１と通信部３０を介して通信がなされる。続くＳ１７では、Ｓ１３にて保存されたタスク情報１９が、タスク情報管理サーバ４０のタスク管理処理装置４３に登録され、処理は前述のＳ１１へ移行する。なお、Ｓ１３の処理により、タスク情報１９がタスク管理処理装置４３に登録されると、タスク情報１９は、タスク処置者毎に分けられ、更にタスクの種類毎に分けられて、タスク保存部４５に保存（すなわち記憶）される。
【００２５】
なお、本実施形態では、タスクの種類を、機能開発とバグ対応とサポートの３種類に分類する。機能開発としては、新規機能の開発，既存の機能の改良等のタスクが含まれる。バグ対応としては、ソフトウェアのバグ修正等のタスクが含まれる。サポートとしては、プロジェクト運営のための資料作成や手続等、成果物に直接結びつかない作業等のタスク
が含まれる。
【００２６】
［１−２−２．映像に係る処理］
また、映像に係る情報表示部２０では、事前準備として、図４のフローチャートに示す登録処理が実行される。この処理は、パネル操作により情報端末機器１が登録モードとされることによって開始される。
【００２７】
図４に示すように、この処理では、先ず、Ｓ２１にて、カメラ２１で顔を撮影する処理が実行される。この処理では、具体的には、例えば、情報端末機器１においてシャッタ操作がなされたときにカメラ２１から出力される画像データから顔画像が周知の画像解析により抽出され、その顔画像がデータ保存部２３に保存される。
【００２８】
続くＳ２３では、Ｓ２１にて撮影された顔画像を登録する処理が実行される。この処理では、前述のＳ２の処理と同様に、情報端末機器１におけるパネル操作によって入力された当該人物の氏名，所属等の文書データと前記顔画像（特定用画像の一例）の画像データとが対応付けてデータ保存部２３に登録される。
【００２９】
続くＳ２５では、アクションと紐付けられる指の形をカメラ２１で撮影する処理が実行される。この処理では、具体的には、例えば、情報端末機器１においてシャッタ操作がなされたときにカメラ２１から出力される画像データから指の形が周知の画像解析により抽出され、その指の形の画像がデータ保存部２３に保存される。なお、この処理で保存される指の形は、一連の指の動きを示す動画であってもよい。
【００３０】
続くＳ２７では、Ｓ２５にて撮影された画像をアクションと紐付けして登録する処理が実行され、処理が一旦終了する。この処理では、情報端末機器１におけるパネル操作によってメニューから選択されたアクションと前記指の形の画像とが対応付けてデータ保存部２３に登録される。
【００３１】
なお、この登録処理では、顔画像又は指の形状のいずれか一方が既に登録されており、他方の登録のみを行いたい場合は、パネル操作によりキャンセルを指示することで一部の処理を通過することができる。例えば、Ｓ２１の処理が開始された時点でキャンセルが指示されると、Ｓ２１，Ｓ２３の処理を実質的に何もせずに通過することにより、顔画像を登録することなく指の形の画像のみを登録することができる（Ｓ２５，Ｓ２７）。また、Ｓ２５の処理が開始された時点でキャンセルが指示されると、Ｓ２５，Ｓ２７の処理を実質的に何もせずに通過することにより、顔画像のみを登録し（Ｓ２１，Ｓ２３）、指の形状の画像を登録することなく処理を終了することができる。
【００３２】
このような登録処理がなされた状態で、パネル操作により情報端末機器１がタスク表示モードとされると、情報表示部２０では、図５のフローチャートに示すタスク表示処理が実行される。
【００３３】
図５に示すように、この処理では、先ず、Ｓ３１にて、カメラ２１による撮影が開始され、かつ、カメラ２１が随時撮影する映像に対応する画像データに対する画像解析が開始される。続くＳ３２では、カメラ２１が顔を撮影したか否か、すなわち、カメラ２１が撮影した映像に対応する画像データから顔画像が抽出されたか否かが判断される。カメラ２１が顔を撮影していない場合は（Ｓ３２：Ｎ）、処理はそのままＳ３２を繰り返して待機し、カメラ２１が顔を撮影すると（Ｓ３２：Ｙ）、処理はＳ３３へ移行する。Ｓ３３では、カメラ２１が撮影した顔が前記登録処理によって画像データとしてデータ保存部２３に登録された顔画像と照合される。続くＳ３４では、Ｓ３３による照合結果に基づき、カメラ２１が撮影した顔が前記登録されたいずれかの顔画像と一致したか否かが判断される。
そして、カメラ２１が撮影した顔が前記登録されたいずれの顔画像とも一致しない場合は（Ｓ３４：Ｎ）、処理は前述のＳ３２へ移行し、いずれかの顔画像と一致した場合は（Ｓ３４：Ｙ）、処理はＳ３５へ移行する。
【００３４】
Ｓ３５では、前記登録処理による登録内容に基づき、カメラ２１が撮影した人物の氏名等が特定される。なお、このＳ３２〜Ｓ３５の処理は、顔認識機能部２２による処理である。
【００３５】
続くＳ３７では、タスク情報管理サーバ４０の通信部４１と通信部３０を介して通信がなされ、当該人物がタスク処置者とされたタスク情報１９が、タスク情報管理サーバ４０のタスク管理処理装置４３を介してタスク保存部４５から全て取得される。なお、取得されたタスク情報１９は、データ保存部２３に保存される。続くＳ３８では、撮影された人物がタスク処置者として登録されたタスクの種類が、データ保存部２３に保存されたタスク情報１９から取得される。続くＳ３９では、撮影された人物がタスク処置者として登録されたタスクの期限が、データ保存部２３に保存されたタスク情報１９から取得される。
【００３６】
続くＳ４０では、図６のフローチャートに詳細を示すような機能開発タスク表示処理が実行される。図６に示すように、この処理では、先ず、当該人物がタスク処置者とされたタスクの中にＳ３８にて取得されたタスクの種類が機能開発であるものが存在するか否かが、Ｓ４１にて判断される。タスクの種類が機能開発であるものが存在する場合は（Ｓ４１：Ｙ）、Ｓ４２にて、そのタスクの中に期限（以下、締め切り期限ともいう）が過ぎたものが存在するか否かかが判断される。締め切り期限が過ぎたものが存在する場合は（Ｓ４２：Ｙ）、処理はＳ４３へ移行する。Ｓ４３では、当該タスクが赤色の四角形のポップアップ画面９１Ａ上に表示されて、処理はＳ４４へ移行する。
【００３７】
図９に例示するように、カメラ２１が顔を撮影している場合は（Ｓ３２：Ｙ）、タッチパネル２５に、撮影された人物の画像９０が表示される。そこで、Ｓ４４では、全面が薄い赤色の四角形によって構成されたポップアップ画面９１Ａを人物の画像９０の上に重ねて表示し、そのポップアップ画面９１Ａに黒字でタスクの内容等を表示するのである。なお、図９ではポップアップ画面９１Ａの詳細を省略したが、詳細には、図１０に示すように、ポップアップ画面９１Ａには種々の情報が文字列で表示されている。すなわち、タスクの種類（この場合、機能開発）と、タスク登録者（例えば、前記発言者）の氏名と、タスク処置者の氏名と、タスクの期限と、タスクの具体的内容とが文字列で表示されている。なお、図９に示された後述の他のポップアップ画面９１Ｂ〜９３も同様である。
【００３８】
図６に戻って、一方、締め切り期限が過ぎたものが存在しない場合は（Ｓ４２：Ｎ）、処理はＳ４２からＳ４４へ直接移行する。Ｓ４４では、タスクの種類が機能開発である前記タスクの中に締め切り期限が近いもの（例えば、期限まで残り３日未満のもの）が存在するか否かかが判断される。なお、締め切り期限が近いと判断される閾値としての時間（すなわち、期限までの残り時間）は、情報端末機器１毎に個々に適宜の値に設定され、タスクの種類毎に異なる値も設定可能である。Ｓ４４にて締め切り期限が近いものが存在すると判断された場合は（Ｓ４４：Ｙ）、処理はＳ４５へ移行する。Ｓ４５では、当該タスクが黄色の四角形のポップアップ画面９１Ｂ（図９参照）上に表示されて、処理はＳ４７へ移行する。一方、締め切り期限が近いものが存在しない場合は（Ｓ４４：Ｎ）、処理はＳ４４からＳ４７へ直接移行する。
【００３９】
Ｓ４７では、タスクの種類が機能開発であるものが更に存在するか否かかが判断される。すなわち、タスクの種類が機能開発であるのもの中で、締め切り期限が過ぎたものでもなく、締め切り期限が近いものでもないものが存在するか否かかが判断される。タスクの種類が機能開発のものが更に存在すると判断された場合は（Ｓ４７：Ｙ）、処理はＳ４８
へ移行する。Ｓ４８では、当該タスクが青色の四角形のポップアップ画面９１Ｃ（図９参照）上に表示されて、処理は図５のＳ５０へ移行する。一方、タスクの種類が機能開発であるものが他には存在しない場合は（Ｓ４７：Ｎ）、処理はＳ４７から図５のＳ５０へ直接移行する。また、前述のＳ４１にて、当該人物がタスク処置者とされたタスクの中にＳ３８にて取得されたタスクの種類が機能開発であるものが存在しないと判断された場合は（Ｓ４１：Ｎ）、処理はＳ４１から図５のＳ５０へ直接移行する。
【００４０】
Ｓ５０では、図７のフローチャートに詳細を示すようなバグ対応タスク表示処理が実行される。図７に示すように、この処理は、対象となるタスクの種類が異なる点と、ポップアップ画面の形状が異なる点とを除いて、前述の機能開発タスク表示処理と同様である。
【００４１】
すなわち、この処理では、先ず、当該人物がタスク処置者とされたタスクの中にＳ３８にて取得されたタスクの種類がバグ対応であるものが存在するか否かが、Ｓ５１にて判断される。タスクの種類がバグ対応であるものが存在する場合は（Ｓ５１：Ｙ）、そのタスクの中に締め切り期限が過ぎたものが存在するか否かかが判断され（Ｓ５２）、締め切り期限が過ぎたものが存在する場合は（Ｓ５２：Ｙ）、処理はＳ５３へ移行する。Ｓ５３では、当該タスクが赤色の三角形のポップアップ画面９２Ａ（図９参照）上に表示されて、処理はＳ５４へ移行する。
【００４２】
Ｓ５４では、タスクの種類がバグ対応である前記タスクの中に締め切り期限が近いものが存在するか否かかが判断され、締め切り期限が近いものが存在する場合は（Ｓ５４：Ｙ）、処理はＳ５５へ移行する。Ｓ５５では、当該タスクが黄色の三角形のポップアップ画面９２Ｂ（図９参照）上に表示されて、処理はＳ５７へ移行する。Ｓ５７では、タスクの種類がバグ対応であるものが更に存在するか否かかが判断され、存在する場合は（Ｓ５７：Ｙ）、Ｓ５８にて、当該タスクが青色の三角形のポップアップ画面（図示省略）上に表示されて、処理は図５のＳ６０へ移行する。
【００４３】
一方、前述のＳ５２，Ｓ５４，Ｓ５７のいずれかで否定判断された場合は（Ｓ５２：Ｎ、Ｓ５４：Ｎ、又は、Ｓ５７：Ｎ）、それに続くＳ５３、Ｓ５４、又は、Ｓ５８の処理が飛ばされる。また、Ｓ５１にて、当該人物がタスク処置者とされたタスクの中にＳ３８にて取得されたタスクの種類がバグ対応であるものが存在しないと判断された場合は（Ｓ５１：Ｎ）、処理はＳ５１から図５のＳ６０へ直接移行する。
【００４４】
Ｓ６０では、図８のフローチャートに詳細を示すようなサポートタスク表示処理が実行される。図８に示すように、この処理は、対象となるタスクの種類が異なる点と、ポップアップ画面の形状が異なる点とを除いて、前述の機能開発タスク表示処理と同様である。
【００４５】
すなわち、この処理では、先ず、当該人物がタスク処置者とされたタスクの中にＳ３８にて取得されたタスクの種類がサポートであるものが存在するか否かが、Ｓ６１にて判断される。タスクの種類がサポートであるものが存在する場合は（Ｓ６１：Ｙ）、そのタスクの中に締め切り期限が過ぎたものが存在するか否かかが判断され（Ｓ６２）、締め切り期限が過ぎたものが存在する場合は（Ｓ６２：Ｙ）、処理はＳ６３へ移行する。Ｓ６３では、当該タスクが赤色の丸形のポップアップ画面９３（図９参照）上に表示されて、処理はＳ６４へ移行する。
【００４６】
Ｓ６４では、タスクの種類がサポートである前記タスクの中に締め切り期限が近いものが存在するか否かかが判断され、締め切り期限が近いものが存在する場合は（Ｓ６４：Ｙ）、処理はＳ６５へ移行する。Ｓ６５では、当該タスクが黄色の丸形のポップアップ画面（図示省略）上に表示されて、処理はＳ６７へ移行する。Ｓ６７では、タスクの種類がサポートであるものが更に存在するか否かかが判断され、存在する場合は（Ｓ６７：Ｙ）、
Ｓ６８にて、当該タスクが青色の丸形のポップアップ画面（図示省略）上に表示されて、処理は図５のＳ７１へ移行する。
【００４７】
一方、前述のＳ６２，Ｓ６４，Ｓ６７のいずれかで否定判断された場合は（Ｓ６２：Ｎ、Ｓ６４：Ｎ、又は、Ｓ６７：Ｎ）、それに続くＳ６３、Ｓ６４、又は、Ｓ６８の処理が飛ばされる。また、Ｓ６１にて、当該人物がタスク処置者とされたタスクの中にＳ３８にて取得されたタスクの種類がサポートであるものが存在しないと判断された場合は（Ｓ６１：Ｎ）、処理はＳ６１から図５のＳ７１へ直接移行する。なお、このＳ３７〜Ｓ６０の処理は、タスク表示部２４による処理である。
【００４８】
図５に示すように、Ｓ７１では、Ｓ４０〜Ｓ６０の表示処理が終了してから所定時間（例えば数秒）以内にカメラ２１が指の形を撮影したか否か、すなわち、カメラ２１が撮影した映像に対応する画像データから指の形の画像が抽出されたか否かが判断される。カメラ２１が指の形の画像を撮影していない場合は（Ｓ７１：Ｎ）、処理はそのまま前述のＳ３２へ移行する。一方、カメラ２１が前記所定時間以内に指の形の画像を撮影すると（Ｓ７１：Ｙ）、処理はＳ７２へ移行する。
【００４９】
Ｓ７２では、カメラ２１が撮影した指の形の画像が前記登録処理によってデータ保存部２３に登録された指の形の画像と照合される。続くＳ７３では、Ｓ７２による照合結果に基づき、カメラ２１が撮影した指の形の画像が前記登録された指の形の画像と一致したか否かが判断される。そして、カメラ２１が撮影した指の形の画像が前記登録された画像と一致しない場合は（Ｓ７３：Ｎ）、処理はそのまま前述のＳ３２へ移行し、前記指の形の画像と一致した場合は（Ｓ７３：Ｙ）、処理はＳ７５へ移行する。
【００５０】
Ｓ７５では、前記登録処理による登録内容に基づき、指の形に紐付けられたアクションが特定され、続くＳ７６では、当該アクションが実行されて、処理は前述のＳ３２へ移行する。なお、このＳ７１〜Ｓ７３の処理は形状認識機能部２７による処理であり、Ｓ７５，Ｓ７６の処理はタスク情報干渉機能部２８による処理である。
【００５１】
ここで、アクションとしては種々の形態が考えられるが、以下、一例として、タッチパネル２５に画像９０として表示された人物のタスクを消去する干渉の処理について説明する。この干渉を指示する指の形としては、例えば、親指と人差し指とで消去すべきとタスクに応じたポップアップ画面（９１Ａ〜９３のいずれか）を、タッチパネル２５に表示された画面内（すなわち、ヴァーチャル・リアリティー空間内）で摘む指の形が考えられる。但し、消去を指示する指の形としては、その他の指の形も前記登録処理によって自由に登録可能である。
【００５２】
指の形に紐付けられたアクションが消去である場合、Ｓ７６の処理の詳細は図１１のフローチャートに示すようになる。図１１に示すように、この処理では、先ず、Ｓ７６１にて、カメラ２１に対する指の位置が特定される。すなわち、カメラ２１が撮影してタッチパネル２５に表示された人物の画像９０に対する、同じくカメラ２１が撮影してタッチパネル２５に表示された指の表示位置が特定される。続くＳ７６３では、その指によって指示されるタスク（すなわち、ポップアップ画面）が特定される。続くＳ７６５では、タスク情報管理サーバ４０との通信により、Ｓ７６３で特定されたポップアップ画面に対応するタスク情報１９のデータがタスク保存部４５から消去され、処理は図５のＳ３２へ移行する。すると、そのタスク情報１９は、次に前述のＳ４０〜Ｓ６０の各種表示処理が実行されると、当該タスク情報１９に対応するポップアップ画面が表示されなくなる。
【００５３】
もちろん、当該タスク情報１９に対応するポップアップ画面が消失する画像をより積極的にもよいことはいうまでもない。例えば、当該ポップアップ画面が脇へ移動したり爆発
したりする画像を表示してもよい。
【００５４】
なお、アクションが、消去ではなく、期限の変更等といった他のアクションである場合、Ｓ７６５では、対応するタスク情報１９のデータの消去ではなく、データの改変がなされる場合がある。また、タスク情報１９に優先順位，重要度，アラートの要否等の情報が含まれていてもよく、その場合、アクションは、優先順位，重要度，アラートの要否等を変更する操作であってもよい。その場合も、Ｓ７６５では、対応するタスク情報１９のデータの消去ではなく、データの改変がなされる場合がある。
【００５５】
［１−３．効果］
以上詳述した第１実施形態によれば、以下の効果が得られる。
［１Ａ］本実施形態では、カメラ２１が出力した画像データに対応する画像に、予め登録された人物の顔画像が含まれる場合（Ｓ３４：Ｙ）、その人物に対応付けてタスク保存部４５に保存されたタスクが自動的に読み出されて表示される（Ｓ３５〜Ｓ６０）。このため、対象者（人物）に対面した時点で、その対象者にカメラを向ければ、当該対象者に係るタスクを即座に把握することができる。
【００５６】
［１Ｂ］しかも、各対象者（すなわちタスク処置者）に係るタスクは、第１制御部１２及び第２制御部１４の処理によって、タスク保存部４５にタスク情報１９として自動的に保存される。このため、各対象者に対するタスク情報１９の登録は自動的になされるので、［１Ａ］に示したような把握を可能とするために煩雑なデータ加工等の作業を行う必要もない。また、情報端末機器１の使用者は、当該情報端末機器１とタスク情報管理サーバ４０とからなるタスク管理処理装置を意識することなく、タスクの管理・共有が可能になる。
【００５７】
［１Ｃ］また、タスク情報１９の生成も、入力された音声を文書化した後（Ｓ７）、その文書に対してキーワード抽出を行うことによってなされる（Ｓ１１）。このため、音声から直接キーワード抽出を行う場合に比べて、処理が簡略化し処理精度も向上させることができる。
【００５８】
［１Ｄ］更に、第１制御部１２及び第２制御部１４の処理では、入力された音声が予め登録された声紋と照合され（Ｓ４）、その音声の発言者の情報もタスク情報１９を構成する情報として保存される（Ｓ１３）。このため、各対象者に係るタスクを表すタスク情報１９を一層正確に抽出することができる。例えば、「私が△△します。」等の発言から、「私」としてのタスク処置者が誰であるかを正確に推定することができる。
【００５９】
［１Ｅ］本実施形態では、カメラ２１が出力する画像データに応じて表示された人物の画像９０（具体的には体の画像）の上に、タスクを表すポップアップ画面９１Ａ〜９３が重ねて表示される（Ｓ４０〜Ｓ６０）。そして、そのポップアップ画面９１Ａ〜９３には、タスクの内容等が文書で表示される。このため、対象者に係るタスクを視覚的に良好に把握することができる。
【００６０】
［１Ｆ］しかも、本実施形態では、ポップアップ画面９１Ａ〜９３の形状及び色が、タスクの種類及び期限に応じて異なっている。このため、対象者に係る各タスクの種類及び期限を視覚的に一層良好に把握することができる。
【００６１】
［１Ｇ］本実施形態では、ポップアップ画面９１Ａ〜９３が表示されたときにカメラ２１が予め登録された指の形の画像を撮影すると（Ｓ７１：Ｙ、Ｓ７３：Ｙ）、その指の形に紐付けられたアクションを実行することができる（Ｓ７６）。すなわち、情報端末機器１の所有者がカメラ２１の前に手を伸ばして前記指の形を作ることで、所望のポップアッ
プ画面に対応するタスクに対して操作を行うことができる。例えば、アクションが消去である場合、カメラ２１に撮影された人物に係るタスクを、撮影している人物が消去することができる。このため、例えば、上長が部下に依頼したタスクを、途中で他の部下に依頼した場合などに、最初に依頼した部下に係るタスクを消去する操作なども容易になる。
【００６２】
［１Ｈ］図１では情報端末機器１とタスク情報管理サーバ４０とを１つずつ図示しているが、複数の情報端末機器１に対して１つのタスク情報管理サーバ４０が共有される場合もある。その場合、本実施形態では、各情報端末機器１の音声録音部１０を介して抽出されたタスク情報１９を、１つのタスク情報管理サーバ４０を介して各情報端末機器１で共有して、前記タスク表示処理等に利用することができる。従って、カメラ２１を向けられた対象者に係るタスクを一層正確に把握することができる。
【００６３】
なお、前記実施形態において、タスク保存部４５がタスク記憶手段に、データ保存部２３が特定用データ記憶手段に、タッチパネル２５がタスク表示手段に、タスク情報干渉機能部２８がタスク操作手段に、情報端末機器１が携帯端末に、タスク情報管理サーバ４０がサーバに、顔認識機能部２２が判断手段に、それぞれ相当する。また、音声録音部１０から第２制御部１４に至る構成がタスク取得手段に相当する。そのうち、第１制御部１２におけるＳ６の処理に係る構成が発言者特定手段に、第１制御部１２におけるＳ７の処理に係る構成が文書化手段に、第２制御部１４におけるＳ１１の処理に係る構成がキーワード抽出手段に、第２制御部１４におけるＳ１３の処理に係る構成がタスク抽出手段に、それぞれ相当する。また、タスク表示部２４におけるＳ３７〜Ｓ３９の処理に係る構成がタスク読み出し手段に相当する。
【００６４】
［２．他の実施形態］
以上、本発明の実施形態について説明したが、本発明は前記実施形態に限定されることなく、種々の形態を採り得る。
【００６５】
［２Ａ］前記実施形態では、情報端末機器１としてスマートフォンを利用したが、これに限定されるものではない。例えば、特開２００６−３３８１６３号公報に記載のような眼鏡型の表示装置を介して、その眼鏡を通して実際に見えている対象者の像に重ねてタスク情報１９に応じたポップアップ画面９１Ａ〜９３が表示されてもよい。
【００６６】
［２Ｂ］前記実施形態では、タスクの種類（すなわちタスクの属性）に応じてポップアップ画面９１Ａ〜９３の表示態様としての形状を異ならせ、期限に応じてポップアップ画面９１Ａ〜９３の表示態様としての色を異ならせているが、これに限定されるものではない。例えば、ポップアップ画面９１Ａ〜９３として使用される色や形状は任意に設定することができる。また、ポップアップ画面９１Ａ〜９３の輪郭のみが期限に応じた色であってもよい。ポップアップ画面の表示態様としては、形状及び色の他に、ポップアップ画面の表示位置、ポップアップ画面同士の上下関係（すなわち重畳，被重畳の関係）、ポップアップ画面の大きさ、文字の色、文字の大きさ、文字のフォント等、種々の表示態様がある。これらの表示態様は、タスクの属性又は期限とどのように対応付けられてもよい。例えば、タスクの種類（すなわちタスクの属性）に応じてポップアップ画面の色を異ならせてもよく、タスクの期限に応じてポップアップ画面の形状を異ならせてもよい。更に、タスクの属性や期限に拘わらず、ポップアップ画面の表示態様は全て同一であってもよい。
【００６７】
［２Ｃ］前記実施形態では、タスクの属性として機能開発，バグ対応，サポートといったタスクの種類が設定されているが、これに限定されるものではない。例えば、タスクの属性としては、例えば特開２０１４−１３５５４３号公報に記載のように、日時情報の有無や場所情報の有無によって「行動予定」「処置予定」「雑メモ」等の属性が設定されてもよい。
【００６８】
［２Ｄ］前記実施形態では、タスク情報１９をポップアップ画面９１Ａ〜９３として人物の画像９０に重ねて表示したが、これに限定されるものではない。例えば、タスク情報１９に対応する文字列は、人物の画像９０の上に字幕状に直接表示されてもよい。また、対象者にカメラ２１を向けてシャッタ操作がなされたときに、タッチパネル２５にはタスク情報１９に応じた文字列のみが表示され、人物の画像９０は表示されなくてもよい。また、タスク情報１９は、情報端末機器１に接続されたイヤホン等を介して音声により出力されてもよい。
【００６９】
［２Ｅ］前記実施形態では、情報端末機器１に設けられた音声録音部１０にタスク情報１９を抽出するための音声が入力されるが、これに限定されるものではない。例えば、会議室等に発言者毎にそれぞれマイクが設けられ、各マイクを介して入力された音声に基づいてタスク情報１９が抽出されてもよい。すなわち、タスク取得手段とカメラ及びタスク読み出し手段とは別体の装置に設けられてもよい。例えば、スマートフォンからなる情報端末機器１の音声録音部１０に音声が入力され、前記［２Ａ］に示したような眼鏡型の表示装置にポップアップ画面９１Ａ〜９３が表示されてもよい。
【００７０】
また、逆に、タスク保存部４５が各情報端末機器１毎に設けられ、全ての処理が情報端末機器１の内部で完結してもよい。また、情報端末機器１はカメラ２１が撮影した映像に対応する画像データ及び音声録音部１０が録音した音声データをそのままタスク情報管理サーバ４０へ送信してもよい。その場合、前述のほぼ全ての処理がタスク情報管理サーバ４０にて実行され、タスク情報管理サーバ４０から情報端末機器１へはタッチパネル２５にそのまま表示すべき画像データが送信されてもよい。
【００７１】
［２Ｆ］前記実施形態では、カメラ２１を介して撮影された顔画像に基づいて対象者を特定している（すなわち、顔画像を特定用画像として利用している）が、これに限定されるものではない。例えば、カメラ２１を介して対象者の名札，社員証等を読み取ることができる場合、その名札等の文字列に基づいて対象者が特定されてもよい。また、その名札等に当該対象者を特定するためのバーコード（二次元バーコードであってもよい。）が記載されている場合、当該にバーコードに基づいて対象者が特定されてもよい。
【００７２】
［２Ｇ］前記実施形態では、複数のポップアップ画面９１Ａ〜９３が表示されているとき、指示画像としての指の形と各ポップアップ画面９１Ａ〜９３との位置関係に応じて、消去等の操作（すなわち干渉）がなされるタスクが決まるが、これに限定されるものではない。例えば、表示されている複数のポップアップ画面９１Ａ〜９３に係る各タスクの全てを一括して削除するなどの操作が可能であってもよい。
【００７３】
［２Ｈ］前記実施形態では、入力された音声が文書化された後（Ｓ７）、その文書に対してキーワード抽出がなされることによってタスク情報１９が生成されるが、これに限定されるものではない。例えば、音声データから直接タスク及びその処置者が取得され、それに基づいてタスク情報が生成されてもよい。
【００７４】
［２Ｉ］前記実施形態における１つの構成要素が有する機能を複数の構成要素として分散させたり、複数の構成要素が有する機能を１つの構成要素に統合させたりしてもよい。また、前記実施形態の構成の少なくとも一部を、同様の機能を有する公知の構成に置き換えてもよい。また、前記実施形態の構成の一部を省略してもよい。また、前記実施形態の構成の少なくとも一部を、他の前記実施形態の構成に対して付加又は置換してもよい。なお、特許請求の範囲に記載した文言のみによって特定される技術思想に含まれるあらゆる態様が本発明の実施形態である。
【００７５】
［２Ｊ］上述したタスク管理装置の他、当該タスク管理装置を構成要素とするシステム、当該タスク管理装置としてコンピュータを機能させるためのプログラム、このプログラムを記録した媒体、タスク管理方法等、種々の形態で本発明を実現することもできる。
【符号の説明】
【００７６】
１…情報端末機器        １０…音声録音部              １１…音声データ記憶部
１２…第１制御部        １３…文書データ保存部        １４…第２制御部
１８…文書データ        １９…タスク情報              ２０…情報表示部
２１…カメラ            ２２…顔認識機能部            ２３…データ保存部
２４…タスク表示部      ２５…タッチパネル            ２７…形状認識機能部
２８…タスク情報干渉機能部    ４０…タスク情報管理サーバ    ３０，４１…通信部
４３…タスク管理処理装置      ４５…タスク保存部            ９０…画像
９１Ａ，９１Ｂ，９１Ｃ，９２Ａ，９２Ｂ，９３…ポップアップ画面
【図１】
2016206841.tif 000003
【図２】
2016206841.tif 000004
【図３】
2016206841.tif 000005
【図４】
2016206841.tif 000006
【図５】
2016206841.tif 000007
【図６】
2016206841.tif 000008
【図７】
2016206841.tif 000009
【図８】
2016206841.tif 000010
【図９】
2016206841.tif 000011
【図１０】
2016206841.tif 000012
【図１１】
2016206841.tif 000013